(57)【特許請求の範囲】
【請求項１】
複数の通信チャネルを有するディジタル通信回線に接続されており、前記複数の通信チャネルの内のいずれか一つに選択的に接続可能な音声コーデック手段と、該音声コーデック手段が接続する通信チャネルを切り換える切換手段とを備え、前記音声コーデック手段を使用する通信機能及び通話機能を有する通信端末装置において、
前記複数の通信チャネルの内のいずれかの通信チャネルを介して前記通信機能での通信要求を受けたことを検出する手段と、
前記複数の通信チャネルの内の第１の通信チャネルに前記音声コーデック手段が接続された状態での前記通話機能の動作中に前記複数の通信チャネルの内の第２の通信チャネルを介しての通信要求を受けたことを検出した場合に、前記通話機能の動作を終了して前記通信機能を動作させると共に、前記切換手段を制御して前記音声コーデック手段の接続を前記第１の通信チャネルから前記第２の通信チャネルに切り換えさせる手段と
を備えたことを特徴とする通信端末装置。
【請求項２】
前記通信要求を受けたことを検出した場合に、通話中の呼を切断して前記通信要求を受け付けるか、通話中の呼を保留して前記通信要求を受け付けるか、又は前記通信要求を拒否するかの選択要求データを出力する手段と、該選択要求データに対する選択内容に応じて、前記通信要求に対する処理を実行する手段とを備えた請求項１記載の通信端末装置。
【請求項３】
前記通信要求が着呼である請求項１又は２記載の通信端末装置。
【発明の詳細な説明】
【０００１】
【発明の属する技術分野】
本発明は、ISDN(Integrated Services Digital Network) のようなディジタル通信回線に接続され、G4ファクシミリ通信機能、G3ファクシミリ通信機能及び通話機能を備えた通信端末装置に関する。
【０００２】
【従来の技術】
現在、ISDNに接続することにより、ディジタル形式のままでデータを送受信するG4方式のファクシミリ通信が可能な通信端末装置が普及しつつある。
このような通信端末装置は、G4ファクシミリ通信機能に加えて、一般的に、G3ファクシミリ通信機能と電話機能とを備えている。
【０００３】
ISDNのユーザ・網インタフェースは、ITU(国際電気通信連合)-T 勧告のI.410 系勧告により、基本インタフェースと、１次群速度インタフェースとが標準化されている。
例えば、電話をかけながらファクシミリ通信、データ通信を行うといった一般的な使われ方を想定した基本インタフェースは、種々のユーザ情報信号の通信用としての２つの Bチャネル（チャネル速度：64kbps）と、ISDNによる回線交換制御用信号等を伝送するための１つの Dチャネル（16kbps）という、種類の異なる複数の通信チャネルが同一インタフェース上で時分割多重化されている。
【０００４】
ISDNにおける呼制御信号レイヤ３の呼設定手順では、通信に先立ち、発端末から網へ、通信相手のISDNアドレス（着番号及び着サブアドレス）、通信に利用する伝達能力等の情報要素を設定した呼設定要求(SETUP) メッセージが伝送される。
網は、発端末へCALL PROC （呼設定受付）を返送し、着端末へSETUP メッセージを送る。着端末は、着呼を受け入れられる状態にある場合は呼出しを開始し、呼出し中であるこを示すALERT （呼出）を網へ伝送する。
【０００５】
網は着端末からのALERT 受信により、発端末にALERT を伝送し、呼を受け付けられる状態の端末が存在し、その端末の呼出しが開始されたことを知らせる。
着端末は、ユーザのオフフック等により呼への応答を検出すると、網にCONN（応答）を伝送する。網は着端末にCONN ACK（応答確認）を伝送するとともに、発端末にCONNを伝送する。
【０００６】
以上の制御信号手順は Dチャネル上で行われ、網からのCONN ACK受信により、着端末は Bチャネルでの通信中の状態に入る。
従って、ISDNに接続された通信端末装置では、 Bチャネルでの通話中に Dチャネルでのファクシミリ通信の着呼要求又は発呼要求を受ける可能性がある。
【０００７】
【発明が解決しようとする課題】
しかし、着呼要求又は発呼要求がG3ファクシミリ通信の場合、G3ファクシミリ通信ではモデムから出力されたアナログデータをディジタルデータに符号化し、またISDNから受信したディジタルデータをモデムに入力するためにアナログデータに復号化する音声コーデック回路が必要であるが、音声コーデックが１つの場合、通話中にはこの音声コーデック回路を使用しているので、通話とG3ファクシミリ通信とを並行して行うことができない。
そのため、通話中にG3ファクシミリ通信の着呼要求があっても呼は切断されてしまう。また発呼要求の場合は通信が終了するまで発呼できない。
【０００８】
本発明はこのような問題点を解決するためになされたものであって、通話中にG3ファクシミリ通信が要求された場合に、通話中の呼を切断してG3ファクシミリ通信の要求を受け付けることにより、または通話中のオペレータにG3ファクシミリ通信の要求発生を知らせ、通話中の呼を切断，保留してG3ファクシミリの通信要求を受けるか、又は通信要求を拒否するかの選択を画面表示，音声出力等で要求することにより、ISDNのようなディジタル回線での通話中に要求のあった、G3ファクシミリ通信への切り換えを可能にするファクシミリ装置のような通信端末装置の提供を目的とする。
【０００９】
【課題を解決するための手段】
第１発明の通信端末装置は、複数の通信チャネルを有するディジタル通信回線に接続されており、前記複数の通信チャネルの内のいずれか一つに選択的に接続可能な音声コーデック手段と、該音声コーデック手段が接続する通信チャネルを切り換える切換手段とを備え、前記音声コーデック手段を使用する通信機能及び通話機能を有する通信端末装置において、前記複数の通信チャネルの内のいずれかの通信チャネルを介して前記通信機能での通信要求を受けたことを検出する手段と、前記複数の通信チャネルの内の第１の通信チャネルに前記音声コーデック手段が接続された状態での前記通話機能の動作中に前記複数の通信チャネルの内の第２の通信チャネルを介しての通信要求を受けたことを検出した場合に、前記通話機能の動作を終了して前記通信機能を動作させると共に、前記切換手段を制御して前記音声コーデック手段の接続を前記第１の通信チャネルから前記第２の通信チャネルに切り換えさせる手段とを備えたことを特徴とする。
【００１０】
第２発明の通信端末装置は、第１発明に加えて、前記通信要求を受けたことを検出した場合に、通話中の呼を切断して前記通信要求を受け付けるか、通話中の呼を保留して前記通信要求を受け付けるか、又は前記通信要求を拒否するかの選択要求データを出力する手段と、該選択要求データに対する選択内容に応じて、前記通信要求に対する処理を実行する手段とを備えたことを特徴とする。
【００１１】
第３発明の通信端末装置は、第１又は第２発明の通信要求が着呼であることを特徴とする。
【００１２】
第１発明では、通話中にG3ファクシミリの通信要求を受けた場合は通話中の呼を切断してG3ファクシミリ通信を行う。
従って、ISDNのようなディジタル回線において通話中であっても、G3ファクシミリ通信の要求が受け付けられる。
【００１３】
第２発明では、通話中にG3ファクシミリの通信要求を受けた場合は、通話中の呼を切断又は保留して通信要求を受けるか、通信要求を拒否するかの選択を、表示，音声出力等により、通話中のオペレータに要求し、オペレータの選択内容に応じて、G3ファクシミリ通信への切り換え、通話の継続等を行う。
従って、ISDNのようなディジタル回線において通話中であっても、オペレータが選択した場合はG3ファクシミリ通信の要求が受け付けられる。
【００１４】
【発明の実施の形態】
図１は本発明の通信端末装置としてのファクシミリ装置の構成を示すブロック図である。
主制御部１は、バスを通じて装置のハードウェア各部を制御するだけではなく、ROM 10に記憶されたソフトウェアに基づいて、原稿の画像データをMH, MR, MMR 等の符号化方式によって符号化または復号化する符号化・復号化等を含む通信手順等のソフトウェアを実行する。
【００１５】
本形態では、主制御部１は、ISDNでの通話中にG3ファクシミリの通信要求を受けた場合は通話中の呼を切断してG3ファクシミリ通信を行うか、又は通話中の呼を切断又は保留して通信要求を受けるか、通信要求を拒否するかの選択を通話中のオペレータに要求し、オペレータの選択内容に応じて、G3ファクシミリ通信への切り換え、通話の継続等を行う。
【００１６】
電子写真方式等のプリンタ２は、他のファクシミリ装置から受信した原稿の画像データを記録する。スキャナ３は、CCD 等で原稿を読み取り、白黒２値の原稿の画像データを出力する。
【００１７】
操作部４は、装置を操作するのに必要なテンキー、ワンタッチキー、プログラムワンタッチキー等の各種のファンクションキー等を備える。また、例えば通信のスタートキー・ストップキーは、後述する選択メッセージに対してオペレータが選択操作を行うキーとして兼用される。
【００１８】
操作部４は、液晶ディスプレイ（LCD と略記する）のようなディスプレイを備え、装置の動作状態、原稿の画像データ等の表示を行う。また、通話中のG3ファクシミリ通信の着呼要求・発呼要求の発生を示すマーク，メッセージ等、及びその要求に対してオペレータに選択を行わせるための選択メッセージ、選択用のアイコンボタン等を表示する。
【００１９】
RAM ５は、SRAMまたはフラッシュメモリ等で構成され、ソフトウェアの実行時に発生する一時的なデータを記憶する。
画像メモリ６はDRAM等で構成され、原稿等の画像データを記憶する。
【００２０】
ROM 10には、主制御部１が実行する通信手順等のソフトウェアの他に、ISDNでの通話中にG3ファクシミリ通信の着呼要求・発呼要求があったことを通話中のオペレータに知らせ、さらにこのG3ファクシミリ通信要求に対する処理をオペレータに選択させる選択要求のメッセージをモデム７に音声合成させて電話機９の送話器から音声出力させるための音声データが格納されている。
【００２１】
LAP(Link Access Procedure)-B 11 は Bチャネル用の平衡型リンク・アクセス手順を制御して２つのチャネルB1、B2で実際のデータ通信を行う。LAP-D 12は Dチャネル用リンク・アクセス手順を制御して、ISDNによる回線交換制御用信号を伝送する。
音声コーデック手段であるPCM(Pulse Code Modulation)コーデック13は、アナログ音声信号とディジタルデータとの相互変換を行う。
【００２２】
モデム７はスキャナ３が読み取った原稿の画像データをファクシミリ通信するためのモデムである。またROM 10に格納されている音声データから音声を合成する手段、及び電話機９からのDTMF信号の検出手段、を有する。
モデム７とPCM コーデック13との間に設けられた切換部８は、例えばリレースイッチからなり、電話機９の接続をモデム７とPCM コーデック13との間で切り換える。
【００２３】
次に、本発明の通信端末装置の着呼時の動作を図２のフローチャートに基づいて説明する。
網から呼設定メッセージが送られ着呼要求があると、この呼設定メッセージに対して着呼を行う (ステップS2-1) 。呼設定メッセージに含まれている伝達能力の情報要素の中の情報転送能力が、PCM コーデック13を使用する、電話（音声）又は3.1kHzオーディオであるか否かを判断する (ステップS2-2) 。
【００２４】
情報転送能力が電話又は3.1kHzオーディオのいずれでもなく、非制限ディジタルの場合はG4ファクシミリ通信を行う (ステップS2-3) 。
情報転送能力が電話又は3.1kHzオーディオのいずれかの場合は、オペレータが電話中か否かを判断する (ステップS2-4) 。
【００２５】
オペレータが電話中でない場合は通話又はG3通信を行う (ステップS2-5) 。
一方、オペレータが電話中の場合は、電話又はG3の着呼要求があることを、操作部４のLCD へのメッセージ表示、電話機９の送話器からの音声メッセージ出力等によってオペレータに知らせる (ステップS2-6) 。
受信したSETUP 信号内の伝達能力が“3.1kHzオーディオ”であれば着呼を要求している相手機がG3ファクシミリ装置、“テレフォン”であれば電話機であることがわかるので、これらの情報を音声又は文字表示でオペレータに報知する。このとき、SETUP 信号に格納されている発番号、即ち、発信者の電話番号も報知できる。
【００２６】
さらに、着呼要求を拒否するか、現在電話中の呼を切断して着呼要求を受け付けるか、又は現在電話中の呼を保留して着呼要求を受け付けるかの選択要求のメッセージを、操作部４のLCD に表示したり、電話機９の送話器から音声出力して、操作部４のLCD のアイコンボタンの操作、電話機９のプッシュ・ボタン操作等によってオペレータに選択させる。
【００２７】
オペレータが着呼要求の拒否を選択した場合は（ステップS2-7のYES ) 、着呼を受け付けずにG3ファクシミリの通信要求の呼を切断する (ステップS2-10)。
オペレータが現在電話中の呼を切断して着呼要求を受け付けることを選択した場合は（ステップS2-8のYES ) 、現在電話中の呼を切断してG3ファクシミリ通信の着呼要求を受け付ける (ステップS2-11)。
【００２８】
オペレータが現在電話中の呼を保留して着呼要求を受け付けることを選択した場合は（ステップS2-9のYES ) 、現在電話中の呼を保留してG3ファクシミリ通信の着呼要求を受け付け (ステップS2-12)、G3ファクシミリ通信が終了した時点で保留中の呼を回復する。
一方、選択要求に対してオペレータがいずれも選択せずに所定時間が経過した場合はタイムアウトとして、G3ファクシミリ通信の着呼要求を受けずに呼を切断する (ステップS2-13)。
【００２９】
さらに、本発明の通信端末装置の発呼時の動作を図３のフローチャートに基づいて説明する。
網に対して発呼要求が行われると (ステップS3-1) 、呼設定メッセージに含まれている伝達能力の情報要素の中の情報転送能力が、PCM コーデック13を使用する3.1kHzオーディオであるか否かを判断する (ステップS3-2) 。
【００３０】
情報転送能力が3.1kHzオーディオでなく、非制限ディジタルの場合はG4ファクシミリ通信を行う (ステップS3-3) 。
情報転送能力が3.1kHzオーディオの場合は、オペレータが電話中か否かを判断する (ステップS3-4) 。
【００３１】
オペレータが電話中でない場合はG3通信を行う (ステップS3-5) 。
一方、オペレータが電話中の場合は、G3の発呼要求があることを、操作部４のLCD へのメッセージ表示、電話機９の送話器からの音声メッセージ出力等によってオペレータに知らせる (ステップS3-6) 。
【００３２】
さらに、発呼要求を拒否するか、現在電話中の呼を切断して発呼要求を受け付けるか、又は現在電話中の呼を保留して発呼要求を受け付けるかの選択要求のメッセージを、操作部４のLCD に表示したり、電話機９の送話器から音声出力して、操作部４のLCD のアイコンボタンの操作、電話機９のプッシュ・ボタン操作等によってオペレータに選択させる。
【００３３】
オペレータが発呼要求の拒否を選択した場合は（ステップS3-7のYES ) 、発呼を受け付けずに通話を継続する (ステップS3-10)。
オペレータが現在電話中の呼を切断して発呼要求を受け付けることを選択した場合は（ステップS3-8のYES ) 、オペレータは現在電話中の呼を切断し、装置はG3ファクシミリ通信の発呼を受け付ける (ステップS3-11)。
【００３４】
オペレータが現在電話中の呼を保留して発呼要求を受け付けることを選択した場合は（ステップS3-9のYES ) 、現在電話中の呼を保留してG3ファクシミリ通信の発呼要求を受け付け (ステップS3-12)、G3ファクシミリ通信が終了した時点で保留中の呼を回復する。
一方、選択要求に対してオペレータがいずれも選択せずに所定時間が経過した場合はタイムアウトとして、G3ファクシミリ通信の発呼要求を受け付けない (ステップS3-13)。
【００３５】
【発明の効果】
本発明の通信端末装置は、通話中にG3ファクシミリの通信要求を受けた場合は通話中の呼を切断してG3ファクシミリ通信を行うので、ISDNのようなディジタル回線において通話中であっても、G3ファクシミリ通信の要求が受け付けられるという優れた効果を奏する。
【００３６】
また本発明の通信端末装置は、通話中にG3ファクシミリの通信要求を受けた場合は、通話中の呼を切断又は保留して通信要求を受けるか、通信要求を拒否するかの選択を、表示，音声出力等により、通話中のオペレータに要求し、オペレータの選択内容に応じて、G3ファクシミリ通信への切り換え、通話の継続等を行うので、ISDNのようなディジタル回線において通話中であっても、オペレータが選択した場合はG3ファクシミリ通信の要求が受け付けられるという優れた効果を奏する。
【図面の簡単な説明】
【図１】本発明の通信端末装置のブロック図である。
【図２】本発明の通信端末装置の着呼時の動作のフローチャートである。
【図３】本発明の通信端末装置の発呼時の動作のフローチャートである。
【符号の説明】
１  主制御部
５  RAM
７  モデム
９  電話機
10  ROM
11  LAP-B
12  LAP-D
13  PCM コーデック
【図１】
0003937537.tif 000002
【図２】
0003937537.tif 000003
【図３】
0003937537.tif 000004